(57)【特許請求の範囲】
【請求項１】
画像形成装置であって、
複数の機能設定用キーを有するキー群を仮想的に複数配列して構成される複数のキー群の中から選択された表示対象キー群を、第１の表示領域に表示する表示制御手段と、
前記表示対象キー群を、前記複数のキー群のうちの第１のキー群から、前記複数のキー群の配列における前記第１のキー群の配列順位に対する直前および直後のうちの一方の順位に対応するキー群である第２のキー群へと切り替える第１の切替指示入力を、第１の切替指示キーを用いて受け付ける入力制御手段と、
を備え、
前記入力制御手段は、前記表示対象キー群を前記第１のキー群から、前記第１のキー群の前記配列順位に対する直前および直後のうちの他方の順位に対応するキー群である第３のキー群へと切り替える第２の切替指示入力を、第２の切替指示キーを用いて受け付け、
前記表示制御手段は、
前記第１の切替指示キーと前記第２の切替指示キーとを第２の表示領域に表示するとともに、前記表示対象キー群に関するカテゴリ名称を示す対象キー群名称表示画像を前記第１の切替指示キーと前記第２の切替指示キーとのいずれか一方の切替指示キーに重畳して表示し、且つ、前記対象キー群名称表示画像が重畳されていることを示す選択カーソルを前記いずれか一方の切替指示キーに重畳して表示し、
前記第１の切替指示キーによる前記第１の切替指示入力に応答して、前記第２のキー群を前記第１のキー群に代えて新たな表示対象キー群として前記第１の表示領域に表示する更新表示動作を実行し、
前記第２の切替指示キーによる前記第２の切替指示入力に応答して、前記第３のキー群を前記第１のキー群に代えて新たな表示対象キー群として前記第１の表示領域に表示することを特徴とする画像形成装置。
【請求項２】
請求項１に記載の画像形成装置において、
前記表示制御手段は、前記第１の切替指示キーを介して前記第１の切替指示入力が受け付けられる毎に前記更新表示動作を実行することを特徴とする画像形成装置。
【請求項３】
請求項２に記載の画像形成装置において、
前記表示制御手段は、繰り返し受け付けられる前記第１の切替指示入力に応じて、複数のキー群を循環的に表示することを特徴とする画像形成装置。
【請求項４】
請求項１ないし請求項３のいずれかに記載の画像形成装置において、
前記表示制御手段は、
前記第１の切替指示入力に応答して、前記第１の表示領域内の前記表示対象キー群に関する画像を前記複数のキー群の配列方向における一方の向きにスクロールし、前記第１の表示領域からスライドアウトする前記第１のキー群に代えて前記第１の表示領域にスライドインする前記第２のキー群を新たな表示対象キー群として表示し、
前記第２の切替指示入力に応答して、前記第１の表示領域内の前記表示対象キー群に関する画像を前記一方の向きとは逆向きの他方の向きにスクロールし、前記第１の表示領域からスライドアウトする前記第１のキー群に代えて前記第１の表示領域にスライドインする前記第３のキー群を新たな表示対象キー群として表示することを特徴とする画像形成装置。
【請求項５】
請求項１ないし請求項３のいずれかに記載の画像形成装置において、
前記表示制御手段は、
前記第１の切替指示入力に応答して、前記第１のキー群に関するカテゴリ名称を示す第１の画像に代えて前記第２のキー群に関するカテゴリ名称を示す第２の画像を新たな対象キー群名称表示画像として前記第２の表示領域に表示し、
前記第２の切替指示入力に応答して、前記第１の画像に代えて前記第３のキー群に関するカテゴリ名称を示す第３の画像を新たな対象キー群名称表示画像として前記第２の表示領域に表示することを特徴とする画像形成装置。
【請求項６】
画像形成装置に内蔵されたコンピュータに、
ａ）複数の機能設定用キーを有するキー群を仮想的に複数配列して構成される複数のキー群のうち第１のキー群を表示対象キー群として前記画像形成装置における操作部の第１の表示領域に表示するステップと、
ｂ）前記複数のキー群の配列における前記第１のキー群の配列順位に対する直前および直後のうちの一方の順位に対応するキー群である第２のキー群へと前記表示対象キー群を切り替える第１の切替指示入力を、前記操作部に表示された第１の切替指示キーを用いて受け付けるステップと、
ｃ）前記ステップｂ）にて受け付けられた前記第１の切替指示キーによる前記第１の切替指示入力に応答して、前記第２のキー群を前記第１のキー群に代えて新たな表示対象キー群として前記第１の表示領域に表示する更新表示動作を実行するステップと、
ｄ）前記表示対象キー群を前記第１のキー群から、前記第１のキー群の前記配列順位に対する直前および直後のうちの他方の順位に対応するキー群である第３のキー群へと切り替える第２の切替指示入力を、第２の切替指示キーを用いて受け付けるステップと、
ｅ）前記ステップｄ）にて受け付けられた前記第２の切替指示キーによる前記第２の切替指示入力に応答して、前記第３のキー群を前記第１のキー群に代えて新たな表示対象キー群として前記第１の表示領域に表示するステップと、
を実行させるためのプログラムであって、
前記ステップａ）においては、前記第１の切替指示キーと前記第２の切替指示キーとが第２の表示領域に表示されるとともに、前記表示対象キー群に関するカテゴリ名称を示す対象キー群名称表示画像が前記第１の切替指示キーと前記第２の切替指示キーとのいずれか一方の切替指示キーに重畳して表示され、且つ、前記対象キー群名称表示画像が重畳されていることを示す選択カーソルが前記いずれか一方の切替指示キーに重畳して表示されることを特徴とするプログラム。
【発明の詳細な説明】
【技術分野】
【０００１】
本発明は、画像形成装置およびそれに関連する技術に関する。
【背景技術】
【０００２】
画像形成装置においては、搭載機能が年々増加しており、当該搭載機能にそれぞれ対応する機能設定用キーの数も増加している。そのため、全機能設定用キーを一画面内に表示することができず、当該全機能設定用キーのうち一部の機能設定用キーをスクロール操作により選択的に表示する技術が存在する。
【０００３】
例えば、特許文献１には、複数の機能設定用キー（機能グループアイコン）のうち一部の機能設定用キーが表示対象キーとして選択され、当該表示対象キーが水平方向に配列されて所定の表示領域に表示される技術が記載されている。当該技術においては、スクロール操作に応じて、所定の表示領域に表示されるキーが１つずつ水平方向にずらされ、表示対象キーが逐次変更される。
【先行技術文献】
【特許文献】
【０００４】
【特許文献１】特開２００６−２４３９５２号公報
【発明の概要】
【発明が解決しようとする課題】
【０００５】
しかしながら、特許文献１に記載の技術においては、表示対象の機能設定用キーを１つずつずらして変更しつつ、横一列に配列された複数の機能設定用キーの中から所望の機能設定用キーを検索しなければならない。そのため、ユーザは、所望の機能設定用キーを検索するのに大きな手間を要する。換言すれば、当該技術においては、当該所望の機能設定用キーを効率的に検索することが困難である。
【０００６】
そこで、この発明の課題は、複数の機能設定用キーの中から所望の機能設定用キーを効率的に検索することが可能な画像形成装置およびそれに関連する技術を提供することにある。
【課題を解決するための手段】
【０００７】
上記課題を解決すべく、請求項１の発明は、画像形成装置であって、複数の機能設定用キーを有するキー群を仮想的に複数配列して構成される複数のキー群の中から選択された表示対象キー群を、第１の表示領域に表示する表示制御手段と、前記表示対象キー群を、前記複数のキー群のうちの第１のキー群から、前記複数のキー群の配列における前記第１のキー群の配列順位に対する直前および直後のうちの一方の順位に対応するキー群である第２のキー群へと切り替える第１の切替指示入力を、第１の切替指示キーを用いて受け付ける入力制御手段と、を備え、前記入力制御手段は、前記表示対象キー群を前記第１のキー群から、前記第１のキー群の前記配列順位に対する直前および直後のうちの他方の順位に対応するキー群である第３のキー群へと切り替える第２の切替指示入力を、第２の切替指示キーを用いて受け付け、前記表示制御手段は、前記第１の切替指示キーと前記第２の切替指示キーとを第２の表示領域に表示するとともに、前記表示対象キー群に関するカテゴリ名称を示す対象キー群名称表示画像を前記第１の切替指示キーと前記第２の切替指示キーとのいずれか一方の切替指示キーに重畳して表示し、且つ、前記対象キー群名称表示画像が重畳されていることを示す選択カーソルを前記いずれか一方の切替指示キーに重畳して表示し、前記第１の切替指示キーによる前記第１の切替指示入力に応答して、前記第２のキー群を前記第１のキー群に代えて新たな表示対象キー群として前記第１の表示領域に表示する更新表示動作を実行し、前記第２の切替指示キーによる前記第２の切替指示入力に応答して、前記第３のキー群を前記第１のキー群に代えて新たな表示対象キー群として前記第１の表示領域に表示することを特徴とする。
【０００８】
請求項２の発明は、請求項１の発明に係る画像形成装置において、前記表示制御手段は、前記第１の切替指示キーを介して前記第１の切替指示入力が受け付けられる毎に前記更新表示動作を実行することを特徴とする。
【０００９】
請求項３の発明は、請求項２の発明に係る画像形成装置において、前記表示制御手段は、繰り返し受け付けられる前記第１の切替指示入力に応じて、複数のキー群を循環的に表示することを特徴とする。
【００１１】
請求項４の発明は、請求項１ないし請求項３のいずれかの発明に係る画像形成装置において、前記表示制御手段は、前記第１の切替指示入力に応答して、前記第１の表示領域内の前記表示対象キー群に関する画像を前記複数のキー群の配列方向における一方の向きにスクロールし、前記第１の表示領域からスライドアウトする前記第１のキー群に代えて前記第１の表示領域にスライドインする前記第２のキー群を新たな表示対象キー群として表示し、前記第２の切替指示入力に応答して、前記第１の表示領域内の前記表示対象キー群に関する画像を前記一方の向きとは逆向きの他方の向きにスクロールし、前記第１の表示領域からスライドアウトする前記第１のキー群に代えて前記第１の表示領域にスライドインする前記第３のキー群を新たな表示対象キー群として表示することを特徴とする。
【００１３】
請求項５の発明は、請求項１ないし請求項３のいずれかの発明に係る画像形成装置において、前記表示制御手段は、前記第１の切替指示入力に応答して、前記第１のキー群に関するカテゴリ名称を示す第１の画像に代えて前記第２のキー群に関するカテゴリ名称を示す第２の画像を新たな対象キー群名称表示画像として前記第２の表示領域に表示し、前記第２の切替指示入力に応答して、前記第１の画像に代えて前記第３のキー群に関するカテゴリ名称を示す第３の画像を新たな対象キー群名称表示画像として前記第２の表示領域に表示することを特徴とする。
【００１８】
請求項６の発明は、画像形成装置に内蔵されたコンピュータに、ａ）複数の機能設定用キーを有するキー群を仮想的に複数配列して構成される複数のキー群のうち第１のキー群を表示対象キー群として前記画像形成装置における操作部の第１の表示領域に表示するステップと、ｂ）前記複数のキー群の配列における前記第１のキー群の配列順位に対する直前および直後のうちの一方の順位に対応するキー群である第２のキー群へと前記表示対象キー群を切り替える第１の切替指示入力を、前記操作部に表示された第１の切替指示キーを用いて受け付けるステップと、ｃ）前記ステップｂ）にて受け付けられた前記第１の切替指示キーによる前記第１の切替指示入力に応答して、前記第２のキー群を前記第１のキー群に代えて新たな表示対象キー群として前記第１の表示領域に表示する更新表示動作を実行するステップと、ｄ）前記表示対象キー群を前記第１のキー群から、前記第１のキー群の前記配列順位に対する直前および直後のうちの他方の順位に対応するキー群である第３のキー群へと切り替える第２の切替指示入力を、第２の切替指示キーを用いて受け付けるステップと、ｅ）前記ステップｄ）にて受け付けられた前記第２の切替指示キーによる前記第２の切替指示入力に応答して、前記第３のキー群を前記第１のキー群に代えて新たな表示対象キー群として前記第１の表示領域に表示するステップと、を実行させるためのプログラムであって、前記ステップａ）においては、前記第１の切替指示キーと前記第２の切替指示キーとが第２の表示領域に表示されるとともに、前記表示対象キー群に関するカテゴリ名称を示す対象キー群名称表示画像が前記第１の切替指示キーと前記第２の切替指示キーとのいずれか一方の切替指示キーに重畳して表示され、且つ、前記対象キー群名称表示画像が重畳されていることを示す選択カーソルが前記いずれか一方の切替指示キーに重畳して表示されることを特徴とする。
【発明の効果】
【００１９】
請求項１ないし請求項６に記載の発明によれば、第１の切替指示キーによる第１の切替指示入力に応答して、第２のキー群を第１のキー群に代えて新たな表示対象キー群として第１の表示領域に表示する更新表示動作が実行される。すなわち、第１の切替指示入力に応答して、第１のキー群に隣接する第２のキー群が第１のキー群に代えて新たな表示対象キー群として表示される。そのため、複数のキー群の配列順序に従って表示対象キー群をキー群単位で変更し所望の機能設定用キーを効率的に検索することが可能である。
また、請求項１ないし請求項６に記載の発明によれば、第１の切替指示キーと第２の切替指示キーとが第２の表示領域に表示され、当該第１の切替指示キーと当該第２の切替指示キーとのいずれか一方の切替指示キーに対象キー群名称表示画像が重畳して表示されるとともに、当該対象キー群名称表示画像が重畳されていることを示す選択カーソルが当該一方の切替指示キーに重畳して表示される。そのため、第２の表示領域において、対象キー群名称表示画像の表示領域を第１および第２の切替指示キーとは別個に設けることを要しないので、表示スペースを有効利用することが可能である。
【００２０】
特に、請求項２に記載の発明によれば、第１の切替指示キーを介して第１の切替指示入力が受け付けられる毎に更新表示動作が実行されるので、ユーザは、第１の切替指示キーの押下操作を繰り返すことにより表示対象キー群を当該表示対象キー群に隣接するキー群に順次に切り替えることが可能である。
【００２１】
また特に、請求項４に記載の発明によれば、第１の切替指示入力に応答して、第１の表示領域内の表示対象キー群に関する画像が複数のキー群の配列方向における一方の向きにスクロールされ、当該第１の表示領域からスライドアウトする第１のキー群に代えて当該第１の表示領域にスライドインする第２のキー群が新たな表示対象キー群として表示される。また、第２の切替指示入力に応答して、第２の表示領域内の表示対象キー群に関する画像が上記一方の向きとは逆向きの他方の向きにスクロールされ、当該第２の表示領域からスライドアウトする第１のキー群に代えて当該第１の表示領域にスライドインする第３のキー群が新たな表示対象キー群として表示される。そのため、表示対象キー群が第２のキー群あるいは第３のキー群に瞬時に切り替えられる場合に比べて、当該第２のキー群あるいは当該第３のキー群に切り替えられたことをより明確に認識することが可能である。
【図面の簡単な説明】
【００２６】
【図１】第１実施形態に係る画像形成装置の概略構成を示す図である。
【図２】第１実施形態に係る画像形成装置の動作を示すフローチャートである。
【図３】初期画面を示す図である。
【図４】更新表示動作に関する画面を示す図である。
【図５】更新表示動作に関する画面を示す図である。
【図６】更新表示動作に関する画面を示す図である。
【図７】更新表示動作に関する画面を示す図である。
【図８】更新表示動作に関する画面を示す図である。
【図９】更新表示動作に関する画面を示す図である。
【図１０】第２実施形態に係る画像形成装置の動作を示すフローチャートである。
【図１１】初期画面を示す図である。
【図１２】更新表示動作に関する画面を示す図である。
【図１３】更新表示動作に関する画面を示す図である。
【図１４】更新表示動作に関する画面を示す図である。
【図１５】更新表示動作に関する画面を示す図である。
【図１６】第３実施形態に係る画像形成装置の動作を示すフローチャートである。
【図１７】初期画面を示す図である。
【図１８】更新表示動作に関する画面を示す図である。
【図１９】更新表示動作に関する画面を示す図である。
【図２０】更新表示動作に関する画面を示す図である。
【図２１】更新表示動作に関する画面を示す図である。
【図２２】更新表示動作に関する画面を示す図である。
【図２３】更新表示動作に関する画面を示す図である。
【発明を実施するための形態】
【００２７】
以下、本発明の実施形態を図面に基づいて説明する。
【００２８】
＜１．第１実施形態＞
＜１−１．構成＞
図１は、画像形成装置１の構成を示す概略図である。ここでは、画像形成装置１は、マルチ・ファンクション・ペリフェラル（Multi Function Peripheral）（ＭＦＰとも略称する）として構成されているものとする。当該ＭＦＰは、スキャナ機能、プリンタ機能、コピー機能およびデータ通信機能などを備える装置（複合機とも称する）である。
【００２９】
図１に示すように、画像形成装置１は、画像読取部２、印刷出力部３、通信部４、格納部５、入出力部６およびコントローラ９等を備えており、これらの各部を複合的に動作させることによって、各種の機能を実現する。
【００３０】
画像読取部２は、画像形成装置１の所定の位置に載置された原稿を光学的に読み取って、当該原稿の画像データ（原稿画像とも称する）を生成する処理部である。
【００３１】
印刷出力部３は、対象画像に関する画像データに基づいて紙などの各種の媒体に画像を印刷出力する出力部である。
【００３２】
通信部４は、公衆回線等を介したファクシミリ通信を行うことが可能な処理部である。さらに、通信部４は、ネットワークＮＷを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用され、当該ネットワーク通信を利用することによって、画像形成装置１は、所望の相手先との間で各種のデータを授受することが可能である。
【００３３】
格納部５は、ハードディスクドライブ（ＨＤＤ）および不揮発性メモリ等の格納装置で構成される。
【００３４】
入出力部６は、画像形成装置１に対する入力を受け付ける操作入力部６ａと、各種情報の表示出力を行う表示部６ｂとを備えている。なお、入出力部６は、操作部とも称される。
【００３５】
具体的には、画像形成装置１には、入出力部６として機能する操作パネル部６０（不図示）が設けられている。この操作パネル部６０は、各種ハードキーとタッチスクリーン６３（図３参照）とを有している。
【００３６】
タッチスクリーン６３は、液晶表示パネルに圧電センサ等が埋め込まれて構成されており、表示部６ｂの一部として機能するとともに、操作入力部６ａの一部としても機能する。詳細には、タッチスクリーン６３は、液晶表示パネルに各種の情報を表示することが可能であるとともに、液晶表示パネルに対する操作者の手指の操作位置を検知して、各種の入力を受け付けることも可能である。たとえば、タッチスクリーン６３に表示された仮想的なボタンが操作者の手指によって触れられると、このような操作は当該仮想的なボタンに対する押下操作であるとみなされる。
【００３７】
コントローラ９は、画像形成装置１を統括的に制御する制御部であり、ＣＰＵと、各種の半導体メモリ（ＲＡＭおよびＲＯＭ等）とを備えて構成される。コントローラ９の制御下において各種の処理部が動作することによって、画像形成装置１の各種の機能が実現される。コントローラ９は、ＣＰＵにおいて、ＲＯＭ（例えば、ＥＥＰＲＯＭ等）内に格納されている所定のソフトウエアプログラム（以下、単にプログラムとも称する）ＰＧを実行することによって、各種の処理部を実現する。なお、当該プログラムＰＧ等は、ネットワークを経由してダウンロードされて取得されるようにしてもよく、あるいは、各種の可搬性記録媒体（ＵＳＢメモリ等）を介して取得されるようにしてもよい。
【００３８】
具体的には、コントローラ９は、表示制御部１１および入力制御部１３等を含む各種の処理部を実現する。
【００３９】
表示制御部１１は、各種画面等をタッチスクリーン６３に表示する表示動作を制御する処理部である。
【００４０】
入力制御部１３は、ユーザからの各種指示入力を受け付ける処理部である。
【００４１】
＜１−２．動作＞
以下では、図２〜図９を参照しながら、画像形成装置１の動作について説明する。
【００４２】
図２は、画像形成装置１の動作を示すフローチャートである。図３〜図９は、タッチスクリーン６３に表示される画面ＧＡ（ＧＡ１〜ＧＡ７）を示す図である。
【００４３】
画像形成装置１の電源が投入等されると、画像形成装置１は、初期画面として図３に示す画面ＧＡ１をタッチスクリーン６３に表示する。
【００４４】
図３に示すように、画面ＧＡ１は、メッセージ表示領域ＭＡ、プレビュー表示領域ＰＡ、機能設定用キー表示領域ＦＡおよび切替指示キー表示領域ＣＡ等を備えて構成される。
【００４５】
メッセージ表示領域ＭＡは、各種メッセージを表示する領域である。
【００４６】
プレビュー表示領域ＰＡは、入稿原稿に関するプレビュー（不図示）および出力原稿に関するプレビュー（不図示）等を表示する領域である。
【００４７】
機能設定用キー表示領域ＦＡは、複数（ここでは１５個）の機能設定用キーＦＫを表示する領域である。詳細には、機能設定用キー表示領域ＦＡには、後に詳述する動作に応じて、５つの機能設定用キーＦＫ１ａ〜ＦＫ５ａと５つの機能設定用キーＦＫ１ｂ〜ＦＫ５ｂと５つの機能設定用キーＦＫ１ｃ〜ＦＫ５ｃとのいずれかが選択的に表示される。なお、複数の機能設定用キーＦＫとしては、「カラー設定用キー」、「濃度設定用キー」、「用紙設定用キー」、「原稿画質設定用キー」、「仕上り設定用キー」および「倍率設定用キー」等が例示される。
【００４８】
複数の機能設定用キーＦＫは、３つのカテゴリに分類されている。具体的には、１５個の機能設定用キーＦＫのうち、５つの機能設定用キーＦＫ１ａ〜ＦＫ５ａは、カテゴリＣＴａ（基本１）にカテゴライズされており、キー群ＫＧａを構成する。また、５つの機能設定用キーＦＫ１ｂ〜ＦＫ５ｂは、カテゴリＣＴｂ（基本２）にカテゴライズされており、キー群ＫＧｂを構成する。さらに、５つの機能設定用キーＦＫ１ｃ〜ＦＫ５ｃは、カテゴリＣＴｃ（基本３）にカテゴライズされており、キー群ＫＧｃを構成する。
【００４９】
複数のキー群ＫＧａ，ＫＧｂ，ＫＧｃは、仮想的に垂直方向に沿って配列される。詳細には、キー群ＫＧａ，ＫＧｂ，ＫＧｃは、この順序で上側から下側へと配列される。換言すれば、複数のキー群ＫＧａ，ＫＧｂ，ＫＧｃの配列における各配列順位は、それぞれ、１位（最上位）、２位、３位（最下位）である。
【００５０】
そして、当該キー群ＫＧａ，ＫＧｂ，ＫＧｃの中から選択された一のキー群ＫＧ１（以下、表示対象キー群ＫＧ１とも称する）が機能設定用キー表示領域ＦＡに表示される。
【００５１】
例えば、図３の画面ＧＡ１においてはキー群ＫＧｂ（機能設定用キーＦＫ１ｂ〜ＦＫ５ｂ）が表示対象キー群ＫＧ１として表示されている。なお、ここでは、図３に示すように、機能設定用キーＦＫ１ｂ〜ＦＫ５ｂは、水平方向に配列されて表示される。
【００５２】
切替指示キー表示領域ＣＡは、矩形形状を有する３つの表示キーＤＫ０，ＤＫ１，ＤＫ２を表示する領域である。図３に示すように、表示キーＤＫ０，ＤＫ１，ＤＫ２は、垂直方向に配列されて表示される。詳細には、表示キーＤＫ０，ＤＫ１，ＤＫ２は、表示キーＤＫ１，ＤＫ０，ＤＫ２の順序で上側から下側へと配列されて表示される。なお、この切替指示キー表示領域ＣＡは、機能設定用キー表示領域ＦＡの近傍（詳細には、機能設定用キー表示領域ＦＡの右側）に配置される。
【００５３】
表示キーＤＫ０には、画像ＧＣ１が重畳されて表示される。画像ＧＣ１は、表示対象キー群ＫＧ１に関するカテゴリ名称を表示する画像である。画像ＧＣ１は、対象キー群名称表示画像ＧＣ１とも称される。なお、表示キーＤＫ０は、「キー」と表現されるが、ユーザによる操作入力を受け付ける機能を有していない。一方、表示キーＤＫ１，ＤＫ２は、後述するように、ユーザによる操作入力（指示入力）を受け付ける機能を有している。
【００５４】
表示キーＤＫ１には、画像ＧＣ２が重畳されて表示される。画像ＧＣ２は、複数のキー群ＫＧａ，ＫＧｂ，ＫＧｃの配列における表示対象キー群ＫＧ１の配列順位に対する直前の順位に対応するキー群（以下、前順位キー群ＫＧ２とも称する）に関するカテゴリ名称を表示する画像である。画像ＧＣ２は、前順位キー群名称表示画像ＧＣ２とも称される。
【００５５】
表示キーＤＫ２には、画像ＧＣ３が重畳されて表示される。画像ＧＣ３は、複数のキー群ＫＧａ，ＫＧｂ，ＫＧｃの配列における表示対象キー群ＫＧ１の配列順位に対する直後の順位（次順位）に対応するキー群（以下、次順位キー群ＫＧ３とも称する）に関するカテゴリ名称を表示する画像である。画像ＧＣ３は、次順位キー群名称表示画像ＧＣ３とも称される。
【００５６】
例えば、図３の画面ＧＡ１においては、キー群ＫＧｂが表示対象キー群ＫＧ１として選択され機能設定用キー表示領域ＦＡに表示されている。また、切替指示キー表示領域ＣＡ内の表示キーＤＫ０には、キー群ＫＧｂのカテゴリ名称に関する画像ＧＣｂが対象キー群名称表示画像ＧＣ１として重畳されて表示されている。画像ＧＣｂは、表示キーＤＫ０と略同サイズの矩形形状の画像であり、その中央にカテゴリ名称を示す文字「基本２」を有している。
【００５７】
また、表示キーＤＫ１には、キー群ＫＧｂの配列順位（２位）に対する直前の順位（１位）に対応するキー群ＫＧａのカテゴリ名称に関する画像ＧＣａが前順位キー群名称表示画像ＧＣ２として重畳されて表示されている。画像ＧＣａは、表示キーＤＫ１と略同サイズの矩形形状の画像であり、その中央にカテゴリ名称を示す文字「基本１」を有している。
【００５８】
また、表示キーＤＫ２には、キー群ＫＧｂの配列順位（２位）に対する直後の順位（３位）に対応するキー群ＫＧｃのカテゴリ名称に関する画像ＧＣｃが次順位キー群名称表示画像ＧＣ３として重畳されて表示されている。画像ＧＣ、表示キーＤＫ２と略同サイズの矩形形状の画像であり、その中央にカテゴリ名称を示す文字「基本３」を有している。
【００５９】
上述の表示キーＤＫ１は、表示対象キー群ＫＧ１を前順位キー群ＫＧ２へと切り替える指示入力（以下、切替指示入力ＩＮ１とも称する）を受け付ける切替指示キーとしても機能する。そのため、表示キーＤＫ１は、切替指示キーＤＫ１とも称される。
【００６０】
また、上述の表示キーＤＫ２は、表示対象キー群ＫＧ１を次順位キー群ＫＧ３へと切り替える指示入力（以下、切替指示入力ＩＮ２とも称する）を受け付ける切替指示キーとしても機能する。そのため、表示キーＤＫ２は、切替指示キーＤＫ２とも称される。
【００６１】
また、図３に示すように、切替指示キー表示領域ＣＡには、表示キーＤＫ０を包囲する選択カーソルＳＣも表示される。選択カーソルＳＣは、複数のキー群ＫＧａ，ＫＧｂ，ＫＧｃのうち表示対象キー群ＫＧ１として選択されたキー群ＫＧを指し示すカーソルである。この選択カーソルＳＣの左側の一部は、さらにその左側に表示されている表示対象キー群ＫＧ１を指し示す先鋭な形状を有している。表示対象キー群ＫＧ１に対応する対象キー群名称表示画像ＧＣ１が選択カーソルＳＣにより包囲されることにより、ユーザは、表示対象キー群ＫＧ１（キー群ＫＧｂ）のカテゴリ名称（「基本２」）を直感的に認識することが可能である。
【００６２】
このような画面ＧＡ１（初期画面）が表示されると、画像形成装置１は、ユーザからの操作入力を待機する状態（以下、待機状態ＷＳとも称する）に移行する。
【００６３】
ここで、画面ＧＡ１内のキー群ＫＧｂの中から所望の機能設定用キーＦＫが見つかったときには、ユーザは、当該所望の機能設定用キーＦＫを押下する。これに応じて、画像形成装置１は、当該所望の機能設定用キーＦＫに対応する機能設定用画面ＦＧをタッチスクリーン６３に表示する。
【００６４】
例えば、上記待機状態ＷＳにおいて、図３の機能設定用キーＦＫ１ｂが押下されると、表示制御部１１は、図４に示すように、当該機能設定用キーＦＫ１ｂに対応する機能設定用画面ＦＧ１ｂを表示する。仮に、機能設定用キーＦＫ１ｂが「カラー」に関する機能設定用キーである場合には、機能設定用画面ＦＧ１ｂは、「カラー」に関する機能設定用画面として表示される。そして、機能設定用画面ＦＧ１ｂに設けられた４つのボタン「Ａ−１」、「Ａ−２」、「Ａ−３」、「Ａ−４」には、それぞれ、「オートカラー」、「フルカラー」、「モノクロ」、「単色カラー」等が表示される。このような機能設定用画面ＦＧ１ｂにおいて、ユーザは、４つのボタンのいずれかを選択することにより「カラー」に関する機能設定を行うことが可能である。
【００６５】
一方、図３の画面ＧＡ１内のキー群ＫＧｂの中から所望の機能設定用キーＦＫが見つからなかったときには、ユーザは、切替指示キーＤＫ１または切替指示キーＤＫ２を押下する。これに応じて、画像形成装置１は、キー群ＫＧｂに代えてキー群ＫＧａまたはキー群ＫＧｃを新たな表示対象キー群ＫＧ１として表示する。
【００６６】
例えば、上記待機状態ＷＳにおいて、切替指示キーＤＫ１が押下されると、切替指示キーＤＫ１による切替指示入力ＩＮ１に応答して、表示制御部１１は、キー群ＫＧａ（前順位キー群ＫＧ２）をキー群ＫＧｂに代えて新たな表示対象キー群ＫＧ１として表示する動作（以下、更新表示動作ＵＤ１とも称する）を実行する。
【００６７】
一方、上記待機状態ＷＳにおいて、切替指示キーＤＫ２が押下されると、切替指示キーＤＫ２による切替指示入力ＩＮ２に応答して、表示制御部１１は、キー群ＫＧｃ（次順位キー群ＫＧ３）をキー群ＫＧｂに代えて新たな表示対象キー群ＫＧ１として表示する動作（以下、更新表示動作ＵＤ２とも称する）を実行する。
【００６８】
以下では、図２のフローチャートを参照しながら、（１）切替指示キーＤＫ１押下時における画像形成装置１の動作と（２）切替指示キーＤＫ２押下時における画像形成装置１の動作とについてより詳細に説明する。なお、図２のフローチャートの処理は、切替指示キーＤＫ１，ＤＫ２が押下される毎に呼び出されるサブルーチンの処理である。
【００６９】
（１）図３の画面ＧＡ１において切替指示キーＤＫ１が押下されると、入力制御部１３は、切替指示入力ＩＮ１を受け付ける。そして、ステップＳ１１において上側の切替指示キーＤＫ１が押下されたと判定され、ステップＳ１３に進む。なお、上述したように、切替指示入力ＩＮ１は、キー群ＫＧｂ（表示対象キー群ＫＧ１）の配列順位（２位）に対する直前の順位（１位）に対応するキー群ＫＧａ（前順位キー群ＫＧ２）へと表示対象キー群ＫＧ１を切り替える指示入力である。
【００７０】
ステップＳ１３においては、表示制御部１１は、更新表示動作ＵＤ１を実行する。具体的には、表示制御部１１は、キー群ＫＧａ（前順位キー群ＫＧ２）をキー群ＫＧｂに代えて新たな表示対象キー群ＫＧ１として機能設定用キー表示領域ＦＡに表示する。換言すれば、表示制御部１１は、当該キー群ＫＧｂに対して上側に隣接するキー群ＫＧａをキー群ＫＧｂに代えて新たな表示対象キー群ＫＧ１として表示する。
【００７１】
詳細には、表示制御部１１は、機能設定用キー表示領域ＦＡ内の表示対象キー群ＫＧ１（キー群ＫＧｂ）に関する画像を下向きにスクロールする。より詳細には、図５に示すように、表示制御部１１は、キー群ＫＧｂを下方向へと徐々にスライドアウトさせるとともに、キー群ＫＧｂに対して上側に隣接するキー群ＫＧａを機能設定用キー表示領域ＦＡの上側から徐々にスライドインさせる。
【００７２】
そして、最終的には、表示制御部１１は、機能設定用キー表示領域ＦＡからスライドアウトするキー群ＫＧｂに代えて機能設定用キー表示領域ＦＡにスライドインするキー群ＫＧａを新たな表示対象キー群ＫＧ１として表示する（図６参照）。
【００７３】
ステップＳ１５においては、表示制御部１１は、切替指示キー表示領域ＣＡ内の３つの表示キーＤＫ（ＤＫ０〜ＤＫ２）に関する表示を更新する。なお、図示の都合上、ステップＳ１３，Ｓ１５の処理は順次に実行されるように示されているが、実際には、ステップＳ１５の処理は、ステップＳ１３の更新表示動作ＵＤ１に連動して（同時並列的に）実行される。
【００７４】
具体的には、表示制御部１１は、選択カーソルＳＣをそのままの状態で維持しつつ、３つの表示キーＤＫ０，ＤＫ１，ＤＫ２に関する画像（画像ＧＣｂ，ＧＣａ，ＧＣｃを含む）を下向きにスクロールする。より詳細には、図５に示すように、表示キーＤＫ０，ＤＫ１が徐々に下方向へスライドするとともに、表示キーＤＫ２が徐々に下方向へとスライドアウトする。さらに、表示キーＤＫ２は、切替指示キー表示領域ＣＡの最下部まで下向きに移動した後、今度は最上部へと循環的に移動して切替指示キー表示領域ＣＡの最上部から下向きにスライドインする。
【００７５】
なお、表示制御部１１は、表示キーＤＫ１，ＤＫ０，ＤＫ２を下方向へスクロールするとともに、それぞれに重畳して表示されるカテゴリ名称（「基本１」、「基本２」、「基本３」）に関する画像（ＧＣａ，ＧＣｂ、ＧＣｃ）をも下方向へスクロールする。
【００７６】
そして、最終的には、図６に示すように、表示制御部１１は、複数のキー群（ＫＧａ〜ＫＧｃ）に関するカテゴリ名称を示す画像ＧＣａ〜ＧＣｃのうち、キー群ＫＧａ（表示対象キー群ＫＧ１）に関するカテゴリ名称（「基本１」）を示す画像ＧＣａを、切替指示キー表示領域ＣＡ内の表示キーＤＫ０に重畳して表示する。すなわち、表示制御部１１は、切替指示入力ＩＮ１に応答して、元の表示対象キー群ＫＧ１に関するカテゴリ名称を示す画像ＧＣ１に代えて前順位キー群ＫＧ２に関するカテゴリ名称を示す画像ＧＣ２を新たな対象キー群名称表示画像ＧＣ１として切替指示キー表示領域ＣＡ内の表示キーＤＫ０に重畳して表示する。なお、このように、表示制御部１１は、切替指示キー（表示キー）ＤＫ１の位置とも切替指示キー（表示キー）ＤＫ２の位置とも異なる位置に対象キー群名称表示画像ＧＣ１を表示する。
【００７７】
また、表示制御部１１は、キー群ＫＧｃに関するカテゴリ名称（「基本３」）を示す画像ＧＣｃを、切替指示キー表示領域ＣＡ内の表示キー（切替指示キー）ＤＫ１に重畳して表示する。
【００７８】
さらに、表示制御部１１は、キー群ＫＧｂに関するカテゴリ名称（「基本２」）を示す画像ＧＣｂを、切替指示キー表示領域ＣＡ内の表示キー（切替指示キー）ＤＫ２に重畳して表示する。
【００７９】
この後、図６の画面ＧＡ４において、切替指示キーＤＫ１が再押下されると、再び図２のサブルーチンが呼び出され、ステップＳ１１を経由してステップＳ１３に進む。
【００８０】
上述したように、ステップＳ１３においては、表示制御部１１は、原則として、元の表示対象キー群ＫＧ１に代えて当該元の表示対象キー群ＫＧ１の配列順位の直前の順位（上位の順位）に対応する前順位キー群ＫＧ２を新たな表示対象キー群ＫＧ１として機能設定用キー表示領域ＦＡに表示する。
【００８１】
ただし、図６の画面ＧＡ４においては、最上位の配列順位を有するキー群ＫＧａが表示対象キー群ＫＧ１として表示されており、当該キー群ＫＧａの配列順位の直前の順位（さらに上位の順位）に対応するキー群ＫＧは存在しない。
【００８２】
そこで、最上位順位（１位）に対応するキー群ＫＧａの表示中に切替指示入力ＩＮ１が受け付けられたときには、表示制御部１１は、最下位順位に対応するキー群ＫＧｃを当該キー群ＫＧａに代えて新たな表示対象キー群ＫＧ１として表示する。
【００８３】
具体的には、表示制御部１１は、図７に示すように、機能設定用キー表示領域ＦＡにおいて、キー群ＫＧａに関する画像を下向きにスクロールする。より詳細には、表示制御部１１は、キー群ＫＧａを下方向へ徐々にスライドアウトさせるとともに、最下位順位を有するキー群ＫＧｃを機能設定用キー表示領域ＦＡの上側から徐々にスライドインさせる。
【００８４】
そして、最終的には、表示制御部１１は、機能設定用キー表示領域ＦＡにスライドインするキー群ＫＧｃを機能設定用キー表示領域ＦＡからスライドアウトするキー群ＫＧａに代えて新たな表示対象キー群ＫＧ１として表示する（図８参照）。
【００８５】
このように、最上位順位を有するキー群ＫＧａの表示中に切替指示入力ＩＮ１が受け付けられると、最上位順位を有するキー群ＫＧａに代えて最下位順位を有するキー群ＫＧｃが新たな表示対象キー群ＫＧ１として表示される。端的に言えば、機能設定用キー表示領域ＦＡにおいて、３つのキー群ＫＧａ，ＫＧｂ，ＫＧｃが切替指示入力ＩＮ１に応じて循環的に切替表示される。
【００８６】
また、ステップＳ１５においては、表示対象キー群ＫＧ１の変更に連動して、表示キーＤＫ０上の対象キー群名称表示画像ＧＣ１が循環的に更新表示される。また、表示キーＤＫ１，ＤＫ２上の画像ＧＣ２，ＧＣ３もそれぞれ循環的に更新される。
【００８７】
この後、図８の画面ＧＡ６において、切替指示キーＤＫ１が再押下されると、再び図２のサブルーチンが呼び出され、ステップＳ１１を経由してステップＳ１３に進む。そして、上記と同様の処理が実行される。
【００８８】
以上のように、表示制御部１１は、切替指示キーＤＫ１を介して切替指示入力ＩＮ１が受け付けられる毎に上記更新表示動作ＵＤ１を実行する。そして、繰り返し受け付けられる切替指示入力ＩＮ１に応じて、表示制御部１１は、複数のキー群ＫＧａ，ＫＧｂ，ＫＧｃを循環的に表示する。
【００８９】
（２）一方、図３の画面ＧＡ１において切替指示キーＤＫ２が押下されると、入力制御部１３は、切替指示入力ＩＮ２を受け付ける。そして、ステップＳ１１において下側の切替指示キーＤＫ２が押下されたと判定され、ステップＳ１７に進む。なお、上述したように、切替指示入力ＩＮ２は、キー群ＫＧｂ（表示対象キー群ＫＧ１）の配列順位（２位）に対する直後の順位（３位）に対応するキー群ＫＧｃ（次順位キー群ＫＧ３）へと表示対象キー群ＫＧ１を切り替える指示入力である。
【００９０】
ステップＳ１７においては、表示制御部１１は、更新表示動作ＵＤ２を実行する。具体的には、表示制御部１１は、キー群ＫＧｃ（次順位キー群ＫＧ３）をキー群ＫＧｂに代えて新たな表示対象キー群ＫＧ１として機能設定用キー表示領域ＦＡに表示する。換言すれば、表示制御部１１は、当該キー群ＫＧｂに対して下側に隣接するキー群ＫＧｃをキー群ＫＧｂに代えて新たな表示対象キー群ＫＧ１として表示する。
【００９１】
詳細には、表示制御部１１は、機能設定用キー表示領域ＦＡ内の表示対象キー群ＫＧ１（キー群ＫＧｂ）に関する画像を上向きにスクロールする。より詳細には、図９に示すように、表示制御部１１は、キー群ＫＧｂを上方向へ徐々にスライドアウトさせるとともに、キー群ＫＧｂに対して下側に隣接するキー群ＫＧｃを機能設定用キー表示領域ＦＡの下側から徐々にスライドインさせる。
【００９２】
そして、最終的には、表示制御部１１は、機能設定用キー表示領域ＦＡからスライドアウトするキー群ＫＧｂに代えて機能設定用キー表示領域ＦＡにスライドインするキー群ＫＧｃを新たな表示対象キー群ＫＧ１として表示する（図８参照）。
【００９３】
ステップＳ１９においては、表示制御部１１は、切替指示キー表示領域ＣＡ内の３つの表示キーＤＫ（ＤＫ０〜ＤＫ２）に関する表示を更新する。なお、図示の都合上、ステップＳ１７，Ｓ１９の処理は順次に実行されるように示されているが、実際には、ステップＳ１９の処理は、ステップＳ１７の更新表示動作ＵＤ２に連動して（同時並列的に）実行される。
【００９４】
具体的には、表示制御部１１は、選択カーソルＳＣをそのままの状態で維持しつつ、３つの表示キーＤＫ０，ＤＫ１，ＤＫ２に関する画像（画像ＧＣｂ，ＧＣａ，ＧＣｃを含む）を上向きにスクロールする。より詳細には、図９に示すように、表示キーＤＫ０，ＤＫ２が徐々に上方向へスライドするとともに、表示キーＤＫ１が徐々に上方向へとスライドアウトする。さらに、表示キーＤＫ１は、切替指示キー表示領域ＣＡの最上部まで上向きに移動した後、今度は最下部へと循環的に移動して切替指示キー表示領域ＣＡの最下部から上向きにスライドインする。
【００９５】
なお、表示制御部１１は、表示キーＤＫ１，ＤＫ０，ＤＫ２を上方向にスクロールするとともに、それぞれに重畳して表示されるカテゴリ名称（「基本１」、「基本２」、「基本３」）に関する画像（ＧＣａ，ＧＣｂ，ＧＣｃ）をも上方向にスクロールする。
【００９６】
そして、最終的には、図８に示すように、表示制御部１１は、複数のキー群（ＫＧａ〜ＫＧｃ）に関するカテゴリ名称を示す画像ＧＣａ〜ＧＣｃのうち、キー群ＫＧｃ（表示対象キー群ＫＧ１）に関するカテゴリ名称（「基本３」）を示す画像ＧＣｃを、切替指示キー表示領域ＣＡ内の表示キーＤＫ０に重畳して表示する。すなわち、表示制御部１１は、切替指示入力ＩＮ２に応答して、元の表示対象キー群ＫＧ１に関するカテゴリ名称を示す画像ＧＣ１に代えて次順位キー群ＫＧ３に関するカテゴリ名称を示す画像ＧＣ３を新たな対象キー群名称表示画像ＧＣ１として切替指示キー表示領域ＣＡ内の表示キーＤＫ０に重畳して表示する。
【００９７】
また、表示制御部１１は、キー群ＫＧｂに関するカテゴリ名称（「基本２」）を示す画像ＧＣｂを、切替指示キー表示領域ＣＡ内の表示キー（切替指示キー）ＤＫ１に重畳して表示する。
【００９８】
さらに、表示制御部１１は、キー群ＫＧａに関するカテゴリ名称（「基本１」）を示す画像ＧＣａを、切替指示キー表示領域ＣＡ内の表示キー（切替指示キー）ＤＫ２に重畳して表示する。
【００９９】
この後、図８の画面ＧＡ６において、切替指示キーＤＫ２が再押下されると、再び図２のサブルーチンが呼び出され、ステップＳ１１を経由してステップＳ１７に進む。
【０１００】
上述したように、ステップＳ１７においては、表示制御部１１は、原則として、元の表示対象キー群ＫＧ１に代えて当該元の表示対象キー群ＫＧ１の配列順位の直後の順位（下位の順位）に対応する次順位キー群ＫＧ３を新たな表示対象キー群ＫＧ１として機能設定用キー表示領域ＦＡに表示する。
【０１０１】
ただし、図８の画面ＧＡ６においては、最下位の配列順位を有するキー群ＫＧｃが表示対象キー群ＫＧ１として表示されており、当該キー群ＫＧｃの配列順位の直後の順位に対応するキー群ＫＧは存在しない。
【０１０２】
そこで、最下位順位（３位）に対応するキー群ＫＧｃの表示中に切替指示入力ＩＮ２が受け付けられたときには、表示制御部１１は、最上位順位に対応するキー群ＫＧａを当該キー群ＫＧｃに代えて新たな表示対象キー群ＫＧ１として表示する。
【０１０３】
具体的には、表示制御部１１は、図７に示すように、キー群ＫＧｃに関する画像を上向きにスクロールする。より詳細には、表示制御部１１は、キー群ＫＧｃを上方向へ徐々にスライドアウトさせるとともに、最上位順位を有するキー群ＫＧａを機能設定用キー表示領域ＦＡの下側から徐々にスライドインさせる。
【０１０４】
そして、最終的には、表示制御部１１は、機能設定用キー表示領域ＦＡにスライドインするキー群ＫＧａを機能設定用キー表示領域ＦＡからスライドアウトするキー群ＫＧｃに代えて新たな表示対象キー群ＫＧ１として表示する（図６参照）。
【０１０５】
このように、最下位順位を有するキー群ＫＧｃの表示中に切替指示入力ＩＮ２が受け付けられると、最下位順位を有するキー群ＫＧｃに代えて最上位順位を有するキー群ＫＧａが新たな表示対象キー群ＫＧ１として表示される。端的に言えば、機能設定用キー表示領域ＦＡにおいて、３つのキー群ＫＧａ，ＫＧｂ，ＫＧｃが循環的に切替指示入力ＩＮ２に応じて切替表示される。
【０１０６】
また、ステップＳ１９においては、表示キーＤＫ０上の対象キー群名称表示画像ＧＣ１が表示対象キー群に連動して循環的に表示される。
【０１０７】
この後、図６の画面ＧＡ４において、切替指示キーＤＫ２が再押下されると、再び図２のサブルーチンが呼び出され、ステップＳ１１を経由してステップＳ１７に進む。そして、上記と同様の処理が実行される。
【０１０８】
このように、表示制御部１１は、切替指示キーＤＫ２を介して切替指示入力ＩＮ２が受け付けられる毎に上記更新表示動作ＵＤ２を実行する。そして、繰り返し受け付けられる切替指示入力ＩＮ２に応じて、表示制御部１１は、複数のキー群ＫＧａ，ＫＧｂ，ＫＧｃを循環的に表示する。
【０１０９】
以上の動作によれば、切替指示キーＤＫ１による切替指示入力ＩＮ１に応答して更新表示動作ＵＤ１が実行されるととともに、切替指示キーＤＫ２による切替指示入力ＩＮ２に応答して更新表示動作ＵＤ２が実行される。
【０１１０】
詳細には、切替指示入力ＩＮ１に応答して、キー群ＫＧｂ（元の表示対象キー群ＫＧ１）に対して上側に隣接するキー群ＫＧａ（前順位キー群ＫＧ２）がキー群ＫＧｂに代えて新たな表示対象キー群ＫＧ１として表示される。また、切替指示入力ＩＮ２に応答して、キー群ＫＧｂ（表示対象キー群ＫＧ１）に対して下側に隣接するキー群ＫＧｃ（次順位キー群ＫＧ３）がキー群ＫＧｂに代えて新たな表示対象キー群ＫＧ１として表示される。
【０１１１】
そのため、複数のキー群ＫＧａ，ＫＧｂ，ＫＧｃの配列順序に従って表示対象キー群ＫＧ１が変更され、ユーザは、所望の機能設定用キーＦＫをキー群ＫＧ単位で効率的に検索することが可能である。換言すれば、ユーザは、所望の機能設定用キーＦＫをカテゴリＣＴ１，ＣＴ２，ＣＴ３別に検索することが可能である。たとえば、ユーザは、既に検索済みの機能設定用キーＦＫと今後検索する機能設定用キーＦＫとをそれぞれカテゴリＣＴ１，ＣＴ２，ＣＴ３単位で区別しつつ、所望の機能設定用キーＦＫを検索することも可能である。
【０１１２】
また特に、複数のキー群ＫＧａ，ＫＧｂ，ＫＧｃにそれぞれ対応する複数の切替指示キーを用いて表示対象キー群ＫＧ１を切り替える場合に比べて、より簡易な操作によって当該当該表示対象キー群ＫＧ１を切り替えることが可能である。
【０１１３】
また、切替指示キーＤＫ１を介して切替指示入力ＩＮ１が受け付けられる毎に更新表示動作ＵＤ１が実行され、切替指示キーＤＫ２を介して切替指示入力ＩＮ２が受け付けられる毎に更新表示動作ＵＤ２が実行される。
【０１１４】
そのため、ユーザは、切替指示キーＤＫ１の押下操作を繰り返すことにより表示対象キー群ＫＧ１を当該表示対象キー群ＫＧ１の上側に隣接する前順位キー群ＫＧ２に順次に切り替えることが可能である。また、ユーザは、切替指示キーＤＫ２の押下操作を繰り返すことにより表示対象キー群ＫＧ１を当該表示対象キー群ＫＧ１の下側に隣接する次順位キー群ＫＧ３に順次に切り替えることが可能である。
【０１１５】
特に、切替指示キーＤＫ１または切替指示キーＤＫ２の押下操作を繰り返す場合においては、ユーザは、同じ位置を繰り返し押下すればよく、２回目以降の押下操作においては当該切替指示キーＤＫ１または当該切替指示キーＤＫ２の視認を必ずしも要しない。換言すれば、ユーザは、機能設定用キー表示領域ＦＡから切替指示キー表示領域ＣＡへと視線を移動させることなく、切替指示入力ＩＮ１または切替指示入力ＩＮ２を繰り返し入力することが可能である。したがって、ユーザは、機能設定用キー表示領域ＦＡの表示対象キー群ＫＧ１が前順位キー群ＫＧ２または次順位キー群ＫＧ３へと切り替わる様子をより確実に視認することが可能である。
【０１１６】
また、繰り返し受け付けられる切替指示入力ＩＮ１，ＩＮ２に応じて、複数のキー群ＫＧａ，ＫＧｂ，ＫＧｃが循環的に表示される。
【０１１７】
そのため、最上位順位（１位）に対応するキー群ＫＧａの表示中に切替指示入力ＩＮ１が受け付けられた場合においても、最下位順位（３位）に対応するキー群ＫＧｃをキー群ＫＧａに代えて新たな表示対象キー群ＫＧ１として表示することが可能である。また、最下位順位（３位）に対応するキー群ＫＧｃの表示中に切替指示入力ＩＮ２が受け付けられた場合においても、最上位順位（１位）に対応するキー群ＫＧａをキー群ＫＧｃ代えて新たな表示対象キー群ＫＧ１として表示することが可能である。
【０１１８】
また、切替指示入力ＩＮ１に応答して、機能設定用キー表示領域ＦＡ内の表示対象キー群ＫＧ１を示す画像が垂直方向における下向きにスクロールされる。そして、当該機能設定用キー表示領域ＦＡからスライドアウトする元の表示対象キー群ＫＧ１（キー群ＫＧｂ）に代えて当該機能設定用キー表示領域ＦＡにスライドインする前順位キー群ＫＧ２（キー群ＫＧａ）が新たな表示対象キー群ＫＧ１として表示される。また、切替指示入力ＩＮ２に応答して、機能設定用キー表示領域ＦＡ内の表示対象キー群ＫＧ１を示す画像が垂直方向における上向きにスクロールされる。そして、当該機能設定用キー表示領域ＦＡからスライドアウトする元の表示対象キー群ＫＧ１（キー群ＫＧｂ）に代えて当該機能設定用キー表示領域ＦＡにスライドインする次順位キー群ＫＧ３（キー群ＫＧｃ）が新たな表示対象キー群ＫＧ１として表示される。
【０１１９】
そのため、表示対象キー群ＫＧ１が前順位キー群ＫＧ２或いは次順位キー群ＫＧ３に瞬時に切り替えられる場合に比べて、当該前順位キー群ＫＧ２或いは当該次順位キー群ＫＧ３に切り替えられたことをスクロール画像により明確に認識することが可能である。
【０１２０】
また、複数のキー群ＫＧａ，ＫＧｂ，ＫＧｃに関するカテゴリ名称を示す複数の画像ＧＣａ，ＧＣｂ，ＧＣｃのうち、表示対象キー群ＫＧ１に関するカテゴリ名称を示す対象キー群名称表示画像ＧＣ１が切替指示キー表示領域ＣＡ内の表示キーＤＫ０に重畳して表示される。
【０１２１】
そのため、ユーザは、当該対象キー群名称表示画像ＧＣ１を視認することにより表示対象キー群ＫＧ１のカテゴリ名称を認知することが可能である。
【０１２２】
また、対象キー群名称表示画像ＧＣ１が切替指示キー（表示キー）ＤＫ１の位置とも切替指示キー（表示キー）ＤＫ２の位置とも異なる位置（詳細には、表示キーＤＫ０の位置）に表示される。詳細には、当該対象キー群名称表示画像ＧＣ１が切替指示キーＤＫ１と切替指示キーＤＫ２との間隙に表示される。そのため、当該対象キー群名称表示画像ＧＣ１が切替指示キーＤＫ１または切替指示キーＤＫ２に重畳して表示される場合（第３実施形態参照）に比べて、ユーザは、当該対象キー群名称表示画像ＧＣ１をより簡単に把握することが可能である。
【０１２３】
また、前順位キー群ＫＧ２に関するカテゴリ名称を示す画像（前順位キー群名称表示画像）ＧＣ２が切替指示キーＤＫ１に重畳して表示され、且つ、次順位キー群ＫＧ３に関するカテゴリ名称を示す画像（前順位キー群名称表示画像）ＧＣ３が切替指示キーＤＫ２に重畳して表示される。
【０１２４】
そのため、ユーザは、前順位キー群ＫＧ２に関するカテゴリ名称および第３のキー群に関する関するカテゴリ名称をも知ることが可能である。
【０１２５】
＜２．第２実施形態＞
第２実施形態は、第１実施形態の変形例である。
【０１２６】
この第２実施形態では、上述の切替指示キーＤＫ１の代わりに切替指示カーソルＣＬ１（後述）を用いて切替指示入力ＩＮ１を受け付けるとともに、上述の切替指示キーＤＫ２の代わりに切替指示カーソルＣＬ２（後述）を用いて切替指示入力ＩＮ２を受け付ける場合を例示する。なお、カテゴリ名称を示す画像ＧＣａ，ＧＣｂ，ＧＣｃは、切替指示カーソルＣＬ１，ＣＬ２には表示されない。
【０１２７】
この第２実施形態では、図１１に示すように、切替指示キー表示領域ＣＡには、２つの切替指示カーソルＣＬ１，ＣＬ２と表示キーＤＫ０と選択カーソルＳＣとが表示される。
【０１２８】
切替指示カーソルＣＬ１は、一方の向き（上向き）を指し示すカーソル形状を有しており、切替指示入力ＩＮ１を受け付ける切替指示キーである。
【０１２９】
切替指示カーソルＣＬ２は、上記一方の向きとは逆向きの他方の向き（下向き）を指し示すカーソル形状を有しており、切替指示入力ＩＮ２を受け付ける切替指示キーである。
【０１３０】
以下では、図１０のフローチャートを参照しながら、（１）切替指示カーソルＣＬ１押下時における画像形成装置１の動作と（２）切替指示カーソルＣＬ２押下時における画像形成装置１の動作とについて説明する。なお、図１０のフローチャートの処理は、切替指示カーソルＣＬ１，ＣＬ２が押下される毎に呼び出されるサブルーチンの処理である。
【０１３１】
画像形成装置１の電源が投入等されると、画像形成装置１は、初期画面として図１１に示す画面ＧＡ８をタッチスクリーン６３に表示する。具体的には、図１１に示すように、表示制御部１１は、キー群ＫＧｂを表示対象キー群ＫＧ１として表示する。また、表示制御部１１は、キー群ＫＧｂに関するカテゴリ名称「基本２」を示す画像ＧＣｂを対象キー群名称表示画像ＧＣ１として表示キーＤＫ０に重畳して表示する。
【０１３２】
（１）図１１の画面ＧＡ８において、切替指示カーソルＣＬ１が押下されると、ステップＳ３１において上側の切替指示カーソルＣＬ１が押下されたと判定され、ステップＳ３３に進む。
【０１３３】
ステップＳ３３においては、図２のフローチャートの対応ステップＳ１３と同様の処理が実行される。
【０１３４】
ステップＳ３５においては、表示制御部１１は、切替指示キー表示領域ＣＡ内の表示キーＤＫ０に関する表示を更新する。このステップＳ３５の処理は、ステップＳ３３の処理と同時並列的に実行される。
【０１３５】
具体的には、表示制御部１１は、選択カーソルＳＣをそのままの状態で維持しつつ、表示キーＤＫ０に関する画像（画像ＧＣｂを含む）を下向きにスクロールする（図１２）。また、表示制御部１１は、当該画像（画像ＧＣｂを含む）の移動に連動して、当該画像の上側から、前順位キー群ＫＧ２に関する画像（前順位キー群名称表示画像）ＧＣ２（ＧＣａ）を下向きにスクロールして表示する。そして、最終的には、図１３に示すように、表示制御部１１は、キー群ＫＧａ（新たな表示対象キー群ＫＧ１でもある）に関するカテゴリ名称「基本１」を示す画像ＧＣａを、新たな表示キーＤＫ０に重畳して表示する。このように、表示制御部１１は、キー群ＫＧｂのカテゴリ名称を示す画像（元の対象キー群名称表示画像ＧＣ１）に代えてキー群ＫＧａのカテゴリ名称を示す画像（前順位キー群名称表示画像ＧＣ２）を新たな対象キー群名称表示画像ＧＣ１として表示キーＤＫ０に重畳して表示する。
【０１３６】
（２）一方、図１１の画面ＧＡ８において、切替指示カーソルＣＬ２が押下されると、ステップＳ３１において下側の切替指示カーソルＣＬ２が押下されたと判定され、ステップＳ３７に進む。
【０１３７】
ステップＳ３７においては、図２のフローチャートの対応ステップＳ１７と同様の処理が実行される。
【０１３８】
ステップＳ３９においては、表示制御部１１は、切替指示キー表示領域ＣＡ内の表示キーＤＫ０に関する表示を更新する。このステップＳ３９の処理は、ステップＳ３７の処理と同時並列的に実行される。
【０１３９】
具体的には、表示制御部１１は、選択カーソルＳＣをそのままの状態で維持しつつ、表示キーＤＫ０に関する画像（画像ＧＣｂを含む）を上向きにスクロールする（図１４）。また、表示制御部１１は、当該画像（画像ＧＣｂを含む）の移動に連動して、当該画像の下側から、次順位キー群ＫＧ３に関する画像（次順位キー群名称表示画像）ＧＣ３（ＧＣｃ）を上向きにスクロールして表示する。そして、最終的には、図１５に示すように、表示制御部１１は、キー群ＫＧｃ（新たな表示対象キー群ＫＧ１でもある）に関するカテゴリ名称「基本３」を示す画像ＧＣｃを、新たな表示キーＤＫ０に重畳して表示する。このように、表示制御部１１は、キー群ＫＧｂのカテゴリ名称を示す画像（元の対象キー群名称表示画像ＧＣ１）に代えてキー群ＫＧｃのカテゴリ名称を示す画像（次順位キー群名称表示画像ＧＣ３）を新たな対象キー群名称表示画像ＧＣ１として表示キーＤＫ０に重畳して表示する。
【０１４０】
このように、表示制御部１１は、切替指示入力ＩＮ１に応答して、元の対象キー群名称表示画像ＧＣ１に代えて前順位キー群名称表示画像ＧＣ２を新たな対象キー群名称表示画像ＧＣ１として切替指示キー表示領域ＣＡ内の表示キーＤＫ０に重畳して表示する（ステップＳ３３，Ｓ３５）。また、表示制御部１１は、切替指示入力ＩＮ２に応答して、元の対象キー群名称表示画像ＧＣ１に代えて次順位キー群名称表示画像ＧＣ３を新たな対象キー群名称表示画像ＧＣ１として切替指示キー表示領域ＣＡ内の表示キーＤＫ０に重畳して表示する（ステップＳ３７，Ｓ３９）。表示制御部１１は、切替指示キー（表示キー）ＤＫ１の位置とも切替指示キー（表示キー）ＤＫ２の位置とも異なる位置（詳細には、表示キーＤＫ０の位置）に対象キー群名称表示画像ＧＣ１を表示する。
【０１４１】
以上の動作によれば、切替指示カーソルＣＬ１による切替指示入力ＩＮ１に応答して更新表示動作ＵＤ１が実行されるととともに、切替指示カーソルＣＬ２による切替指示入力ＩＮ２に応答して更新表示動作ＵＤ２が実行される。そのため、複数のキー群ＫＧａ，ＫＧｂ，ＫＧｃの配列順序に従って表示対象キー群ＫＧ１が変更され、ユーザは、所望の機能設定用キーＦＫを効率的に検索することが可能である。
【０１４２】
また、切替指示カーソルＣＬ１の位置とも切替指示カーソルＣＬ２の位置とも異なる位置（詳細には、表示キーＤＫ０の位置）に対象キー群名称表示画像ＧＣ１が表示される。詳細には、当該対象キー群名称表示画像ＧＣ１が切替指示カーソルＣＬ１と切替指示カーソルＣＬ２との間隙に表示される。そのため、ユーザは、対象キー群名称表示画像ＧＣ１をより簡単に把握することが可能である。特に、切替指示キー表示領域ＣＡにおいては、カテゴリ名称を示す画像として、対象キー群名称表示画像ＧＣ１のみが表示されているので、ユーザは、機能設定用キー表示領域ＦＡ内に表示されている表示対象キー群ＫＧ１のカテゴリー名称を容易に把握することができる。
【０１４３】
また、切替指示カーソルＣＬ１が一方の向き（上向き）を指し示すカーソル形状を有するとともに、切替指示入力キーＣＫ２が当該一方の向きとは逆向き（下向き）を指し示すカーソル形状を有している。そのため、切替指示カーソルＣＬ１と切替指示カーソルＣＬ２とが、それぞれ、切替指示入力ＩＮ１と切替指示入力ＩＮ２とを入力するためのキーであることを、ユーザに気付かせ易くすることが可能である。
【０１４４】
＜３．第３実施形態＞
第３実施形態は、上記第１実施形態の変形例である。
【０１４５】
上記第１実施形態では、切替指示キーＤＫ１の位置とも切替指示キーＤＫ２の位置とも異なる位置に、表示対象キー群ＫＧ１に関するカテゴリ名称を示す対象キー群名称表示画像ＧＣ１が表示される場合を例示した。
【０１４６】
この第３実施形態では、切替指示キーＤＫ１と切替指示キーＤＫ２とのいずれか一方に、当該対象キー群名称表示画像ＧＣ１が重畳して表示される場合を例示する。換言すれば、この第３実施形態では、対象キー群名称表示画像ＧＣ１を重畳して表示するための表示キーＤＫ０が存在しない場合を例示する。
【０１４７】
この第３実施形態では、図１７に示すように、切替指示キー表示領域ＣＡには、２つの表示キーＤＫ１，ＤＫ２が表示される。
【０１４８】
また、切替指示キー表示領域ＣＡには、２つの表示キーＤＫ１，ＤＫ２のうちのいずれか一方を包囲する選択カーソルＳＣが表示される。具体的には、選択カーソルＳＣは、表示キーＤＫ１，ＤＫ２のうち対象キー群名称表示画像ＧＣ１が重畳されている表示キーＤＫを包囲する。
【０１４９】
例えば、図１７の画面ＧＡ１３においては、キー群ＫＧｂに関するカテゴリ名称「基本２」を示す画像ＧＣｂが表示キーＤＫ２に表示されている。端的に言えば、対象キー群名称表示画像ＧＣ１が表示キーＤＫ２に重畳して表示されている。この場合、表示制御部１１は、対象キー群名称表示画像ＧＣ１が重畳されていることを示す選択カーソルＳＣを表示キーＤＫ２に重畳して表示する。
【０１５０】
以下では、図１６のフローチャートを参照しながら、（１）切替指示キーＤＫ１押下時における画像形成装置１の動作と（２）切替指示キーＤＫ２押下時における画像形成装置１の動作とについて説明する。なお、図１６のフローチャートの処理は、切替指示キーＤＫ１，ＤＫ２が押下される毎に呼び出されるサブルーチンの処理である。
【０１５１】
画像形成装置１の電源が投入等されると、画像形成装置１は、初期画面として図１７に示す画面ＧＡ１３をタッチスクリーン６３に表示する。
【０１５２】
（１）図１７の画面ＧＡ１３において、切替指示キーＤＫ１が押下されると、図１６のステップＳ５１において上側の切替指示キーＤＫ１が押下されたと判定され、ステップＳ５３に進む。
【０１５３】
ステップＳ５３においては、図２のフローチャートの対応ステップＳ１３と同様の処理が実行される。
【０１５４】
ステップＳ５５においては、表示制御部１１は、切替指示キー表示領域ＣＡ内の切替指示キーＤＫ１，ＤＫ２に関する表示を更新する。なお、図示の都合上、ステップＳ５３，Ｓ５５の処理は順次に実行されるように示されているが、実際には、ステップＳ５５の処理は、ステップＳ５３の更新表示動作ＵＤ１に連動して（同時並列的に）実行される。
【０１５５】
具体的には、ステップＳ５５１において、上側の切替指示キーＤＫ１が選択カーソルＳＣにより包囲されているか否かが判定される。上側の切替指示キーＤＫ１が選択カーソルＳＣにより包囲されていると判定されると、ステップＳ５５２に進む。一方、上側の切替指示キーＤＫ１が選択カーソルＳＣにより包囲されていないと判定されると、ステップＳ５５３に進む。
【０１５６】
図１７の画面ＧＡ１３においては、下側の切替指示キーＤＫ２が選択カーソルＳＣにより包囲されている。そのため、ステップＳ５５１においては、上側の切替指示キーＤＫ１が選択カーソルＳＣにより包囲されていないと判定され、ステップＳ５５３に進む。
【０１５７】
ステップＳ５５３においては、表示制御部１１は、切替指示キーＤＫ１，ＤＫ２を動かさずに、選択カーソルＳＣを上方向にスクロールする（図１８）。そして、最終的には、図１９に示すように、選択カーソルＳＣは、切替指示キーＤＫ２に代えて切替指示キーＤＫ１を新たに包囲する。これにより、切替指示キーＤＫ１に重畳された画像ＧＣａが、対象キー群名称表示画像ＧＣ１であることが示される。
【０１５８】
この後、図１９の画面ＧＡ１５において、切替指示キーＤＫ１が再押下されると、再び図１６のサブルーチンが呼び出され、ステップＳ５１およびステップＳ５３を経由してステップＳ５５１に進む。
【０１５９】
図１９の画面ＧＡ１５においては、上側の切替指示キーＤＫ１が選択カーソルＳＣにより包囲されている。そのため、ステップＳ５５１において、上側の切替指示キーＤＫ１が選択カーソルＳＣにより包囲されていると判定され、今度は、ステップＳ５５２に進む。
【０１６０】
ステップＳ５５２においては、表示制御部１１は、選択カーソルＳＣをそのままの状態で維持しつつ、２つの表示キーＤＫ１，ＤＫ２に関する画像（画像ＧＣａ，ＧＣｂを含む）等を下向きにスクロールする（図２０参照）。
【０１６１】
そして、最終的には、図２１に示すように、表示制御部１１は、新たな表示対象キー群ＫＧ１であるキー群ＫＧｃに関するカテゴリ名称「基本３」を示す画像ＧＣｃを、切替指示キー表示領域ＣＡの上側からスライドインしてきた新たな切替指示キーＤＫ１に重畳して表示する。また、表示制御部１１は、キー群ＫＧａに関するカテゴリ名称を示す画像ＧＣａを、下側にスライド移動してきた新たな表示キーＤＫ２に重畳して表示する。
【０１６２】
（２）一方、図１７の画面ＧＡ１３において、切替指示キーＤＫ２が押下されると、ステップＳ５１において下側の切替指示キーＤＫ２が押下されたと判定され、ステップＳ５７に進む。
【０１６３】
ステップＳ５７においては、図２のフローチャートの対応ステップＳ１７と同様の処理が実行される。
【０１６４】
ステップＳ５９においては、表示制御部１１は、切替指示キー表示領域ＣＡ内の切替指示キーＤＫ１，ＤＫ２に関する表示を更新する。なお、図示の都合上、ステップＳ５７，Ｓ５９の処理は順次に実行されるように示されているが、実際には、ステップＳ５９の処理は、ステップＳ５７の更新表示動作ＵＤ２に連動して（同時並列的に）実行される。
【０１６５】
具体的には、ステップＳ５９１において、下側の切替指示キーＤＫ２が選択カーソルＳＣにより包囲されているか否かが判定される。下側の切替指示キーＤＫ２が選択カーソルＳＣにより包囲されていると判定されると、ステップＳ５９２に進む。一方、下側の切替指示キーＤＫ２が選択カーソルＳＣにより包囲されていないと判定されると、ステップＳ５９３に進む。
【０１６６】
図１７の画面ＧＡ１３においては、下側の切替指示キーＤＫ２が選択カーソルＳＣにより包囲されている。そのため、ステップＳ５９１においては、下側の切替指示キーＤＫ２が選択カーソルＳＣにより包囲されていると判定され、ステップＳ５９２に進む。
【０１６７】
ステップＳ５９２においては、表示制御部１１は、選択カーソルＳＣをそのままの状態で維持しつつ、２つの表示キーＤＫ１，ＤＫ２に関する画像（画像ＧＣｂ，ＧＣａを含む）等を上向きにスクロールする（図２２参照）。
【０１６８】
そして、最終的には、図２３に示すように、表示制御部１１は、新たな表示対象キー群ＫＧ１であるキー群ＫＧｃに関するカテゴリ名称「基本３」を示す画像ＧＣｃを、切替指示キー表示領域ＣＡの下側からスライドインしてきた新たな切替指示キーＤＫ２に重畳して表示する。また、表示制御部１１は、キー群ＫＧｂに関するカテゴリ名称を示す画像ＧＣｂを、上側にスライド移動してきた新たな表示キーＤＫ１に重畳して表示する。これにより、切替指示キーＤＫ２に重畳された画像ＧＣｃが、対象キー群名称表示画像ＧＣ１であることが示される。
【０１６９】
なお、上記ステップＳ５９１において、下側の切替指示キーＤＫ２が選択カーソルＳＣにより包囲されていないと判定されると、ステップＳ５９３に進む。ステップＳ５９３においては、表示制御部１１は、選択カーソルＳＣを下方向にスクロールする。そして、最終的には、選択カーソルＳＣは、切替指示キーＤＫ１に代えて切替指示キーＤＫ２を包囲する（図１７参照）。
【０１７０】
例えば、図１９の画面ＧＡ１５においては、上側の切替指示キーＤＫ１が選択カーソルＳＣにより包囲されている。ここで、切替指示キーＤＫ２が押下されると、ステップＳ５９１において、下側の切替指示キーＤＫ２が選択カーソルＳＣにより包囲されていないと判定され、ステップＳ５９３に進む。そして、最終的には、図１７に示すように、機能設定用キー表示領域ＦＡにはキー群ＫＧｂが表示され、切替指示キーＤＫ２には画像ＧＣｂが表示される。また、選択カーソルＳＣは、切替指示キーＤＫ２を包囲する。
【０１７１】
以上の動作によれば、切替指示キーＤＫ１による切替指示入力ＩＮ１に応答して更新表示動作ＵＤ１が実行されるととともに、切替指示キーＤＫ２による切替指示入力ＩＮ２に応答して更新表示動作ＵＤ２が実行される。
【０１７２】
そのため、複数のキー群ＫＧａ，ＫＧｂ，ＫＧｃの配列順序に従って表示対象キー群ＫＧ１が変更され、ユーザは、所望の機能設定用キーＦＫを効率的に検索することが可能である。
【０１７３】
また、切替指示キーＤＫ１と切替指示キーＤＫ２とが切替指示キー表示領域ＣＡに表示される。そして、当該切替指示キーＤＫ１と当該切替指示キーＤＫ２とのいずれか一方の切替指示キーに表示対象キー群ＫＧ１に関するカテゴリ名称を示す対象キー群名称表示画像ＧＣ１が重畳して表示されるとともに、当該対象キー群名称表示画像ＧＣ１が重畳されていることを示す選択カーソルＳＣが当該一方の切替指示キーに重畳して表示される。
【０１７４】
そのため、切替指示キー表示領域ＣＡにおいて、対象キー群名称表示画像ＧＣ１の表示領域を切替指示キーＤＫ１，ＤＫ２とは別個に設けることを要しないので、表示スペースを有効に利用することができる。
【０１７５】
＜４．変形例等＞
以上、この発明の実施の形態について説明したが、この発明は上記説明した内容のものに限定されるものではない。
【０１７６】
たとえば、上記実施形態においては、複数のキー群ＫＧａ，ＫＧｂ，ＫＧｃは、それぞれ、同数（５つ）の機能設定用キーＦＫを有する場合を例示したが、これに限定されず、異なる数の機能設定用キーＦＫを有するようにしてもよい。具体的には、キー群ＫＧａが５つの機能設定用キーＦＫを有し、キー群ＫＧｂが４つの機能設定用キーＦＫを有し、キー群ＫＧｃが３つの機能設定用キーＦＫを有するようにしてもよい。
【０１７７】
また、上記各実施形態においては、初期状態にて第２順位のキー群ＫＧｂが表示対象キー群ＫＧ１として表示される場合（図３等参照）が例示されているが、これに限定されない。たとえば、初期状態にて最上位のキー群ＫＧａが表示対象キー群ＫＧ１として表示される（図６等参照）ようにしてもよい。あるいは、初期画面にて最下位のキー群ＫＧｃが表示対象キー群ＫＧ１として表示される（図８等参照）ようにしてもよい。
【０１７８】
また、上記各実施形態においては、画像形成装置１は、切替指示入力ＩＮ１を受け付ける切替指示キー（切替指示キーＤＫ１等）と切替指示入力ＩＮ２を受け付ける切替指示キー（切替指示キーＤＫ２等）との２つの切替指示キーを備える場合を例示したが、これに限定されない。
【０１７９】
たとえば、画像形成装置１は、切替指示入力ＩＮ１と切替指示入力ＩＮ２とのいずれか一方を受け付ける単一の切替指示キーを備えるようにしてもよい。そして、繰り返し受け付けられる切替指示入力に応じて、複数のキー群ＫＧａ，ＫＧｂ，ＫＧｃが一方の向きに循環的に切替表示されるようにすればよい。このような態様においても、ユーザは、所望の機能設定用キーＦＫを効率的に検索することが可能である。ただし、上記各実施形態のように、２つの切替指示キーを用いて両方の向きの切替動作を行うことによれば、ユーザは、所望の機能設定用キーＦＫをより効率的に検索することが可能である。
【符号の説明】
【０１８０】
ＣＡ  切替指示キー表示領域
ＣＬ  切替指示カーソル
ＤＫ  表示キー、切替指示キー
ＦＡ  機能設定用キー表示領域
ＧＡ  画面
ＫＧａ〜ＫＧｃ  キー群
ＭＡ  メッセージ表示領域
ＰＡ  プレビュー表示領域
ＳＣ  選択カーソル
【図１】
0005644613.tif 000002
【図２】
0005644613.tif 000003
【図３】
0005644613.tif 000004
【図４】
0005644613.tif 000005
【図５】
0005644613.tif 000006
【図６】
0005644613.tif 000007
【図７】
0005644613.tif 000008
【図８】
0005644613.tif 000009
【図９】
0005644613.tif 000010
【図１０】
0005644613.tif 000011
【図１１】
0005644613.tif 000012
【図１２】
0005644613.tif 000013
【図１３】
0005644613.tif 000014
【図１４】
0005644613.tif 000015
【図１５】
0005644613.tif 000016
【図１６】
0005644613.tif 000017
【図１７】
0005644613.tif 000018
【図１８】
0005644613.tif 000019
【図１９】
0005644613.tif 000020
【図２０】
0005644613.tif 000021
【図２１】
0005644613.tif 000022
【図２２】
0005644613.tif 000023
【図２３】
0005644613.tif 000024